(57)【要約】【課題】空調ケースを小型化し、かつ、上側バイパス通路を通って空調ケースから吹き出される空気の風量を多くする。【解決手段】送風機２０は、回転軸ＣＬ１の一端側に設けられた開口部２０１から吸い込んだ空気を回転軸ＣＬ１の径外方向へ送風し、開口部２０１が蒸発器１６の空気流出面１６ｂと対向するように配置される。さらに、ヒータコア１８は、上側バイパス通路１２５ａの通路面積が下側バイパス通路１２５ｂの通路面積よりも大きくなるよう空調ケース１２内に配置される。【選択図】図２
2018079918.tif 000002
【特許請求の範囲】
【請求項１】
車両用空調ユニットであって、
空調ケース（１２）と、
前記空調ケース内に配置され、回転軸（ＣＬ１）の一端側に設けられた開口部（２０１）から吸い込んだ空気を前記回転軸の径外方向へ送風する送風機（２０）と、
前記送風機より空気流れ上流側に配置され、前記空調ケース内を流れる空気を冷却する冷却器（１６）と、
前記送風機より空気流れ下流側に配置され、前記冷却器で冷却された前記空気を加熱する加熱器（１８）と、を備え、
前記空調ケースは、前記送風機から送風された前記空気を、前記加熱器の上側に迂回させる上側バイパス通路（１２５ａ）と、前記加熱器の下側に迂回させる下側バイパス通路（１２５ｂ）と、前記上側バイパス通路より空気流れ下流側に形成された第１開口部（１２６）と、前記下側バイパス通路より空気流れ下流側に形成された第２開口部（１２８）と、を有し、
前記送風機は、前記開口部が前記冷却器の空気流出面（１６ｂ）と対向するように配置され、
前記加熱器は、前記上側バイパス通路の通路面積が前記下側バイパス通路の通路面積よりも大きくなるよう前記空調ケース内に配置されている車両用空調ユニット。
【請求項２】
車両用空調ユニットであって、
空調ケース（１２）と、
前記空調ケース内に配置され、回転軸（ＣＬ１）の一端側に設けられた開口部（２０１）から吸い込んだ空気を前記回転軸の径外方向へ送風する送風機（２０）と、
前記送風機より空気流れ上流側に配置され、前記空調ケース内を流れる空気を冷却する冷却器（１６）と、
前記送風機より空気流れ下流側に配置され、前記冷却器で冷却された前記空気を加熱する加熱器（１８）と、を備え、
前記空調ケースは、前記送風機から送風された前記空気を、前記加熱器の上側に迂回させる上側バイパス通路（１２５ａ）と、前記加熱器の下側に迂回させる下側バイパス通路（１２５ｂ）と、前記上側バイパス通路より空気流れ下流側に形成された第１開口部（１２６）と、前記下側バイパス通路より空気流れ下流側に形成された第２開口部（１２８）と、を有し、
前記送風機は、前記開口部が前記冷却器の空気流出面（１６ｂ）と対向するように配置され、
前記加熱器は、前記上側バイパス通路の通路面積が前記下側バイパス通路の通路面積よりも大きくなるよう前記空調ケース内に配置されており、
前記加熱器は、前記空気が流入する空気流入面（１８ａ）の中心が前記冷却器の空気流出面（１６ｂ）の中心よりも下側に配置されている車両用空調ユニット。
【請求項３】
車両用空調ユニットであって、
空調ケース（１２）と、
前記空調ケース内に配置され、回転軸（ＣＬ１）の一端側に設けられた開口部（２０１）から吸い込んだ空気を前記回転軸の径外方向へ送風する送風機（２０）と、
前記送風機より空気流れ上流側に配置され、前記空調ケース内を流れる空気を冷却する冷却器（１６）と、
前記送風機より空気流れ下流側に配置され、前記冷却器で冷却された前記空気を加熱する加熱器（１８）と、を備え、
前記空調ケースは、前記送風機から送風された前記空気を、前記加熱器の上側に迂回させる上側バイパス通路（１２５ａ）と、前記加熱器の下側に迂回させる下側バイパス通路（１２５ｂ）と、前記上側バイパス通路より空気流れ下流側に形成された第１開口部（１２６）と、前記下側バイパス通路より空気流れ下流側に形成された第２開口部（１２８）と、を有し、
前記送風機は、前記開口部が前記冷却器の空気流出面（１６ｂ）と対向するように配置され、
前記加熱器は、前記上側バイパス通路の通路面積が前記下側バイパス通路の通路面積よりも大きくなるよう前記空調ケース内に配置されており、
前記加熱器は、該加熱器の空気流入面の中心が前記送風機の前記回転軸よりも下側に配置されている車両用空調ユニット。
【請求項４】
前記加熱器は、前記空気が流入する空気流入面（１８ａ）の中心が前記冷却器の空気流出面（１６ｂ）の中心よりも下側に配置されている請求項３に記載の車両用空調ユニット。
【請求項５】
前記送風機は、遠心式送風機または斜流送風機である請求項１ないし４のいずれか１つに記載の車両用空調ユニット。
【請求項６】
前記送風機より空気流れ下流側で、かつ、前記加熱器より空気流れ上流側に配置され、前記上側バイパス通路と前記下側バイパス通路との間を区画する区画部材（１３）を備え、
前記加熱器は、前記区画部材の上側端部と下側端部との間の所定範囲（Ａｒ）に収まるよう配置されている請求項１ないし５のいずれか１つに記載の車両用空調ユニット。
【請求項７】
前記冷却器の空気流出面側から前記加熱器に向けて投影したとき、前記加熱器は、前記送風機に上下方向で隠れる大きさとなっている請求項１ないし６のいずれか１つに記載の車両用空調ユニット。
【請求項８】
前記第１開口部は、車室内の乗員の顔へ向けて前記空気を送風するフェイス吹出口（９２ａ〜９２ｄ）と連通するフェイス開口部（１２６）である請求項１ないし７のいずれか１つに記載の車両用空調ユニット。
【請求項９】
前記第２開口部は、車室内の乗員の足元へ向けて前記空気を送風するフット吹出口（９３ａ〜９３ｂ）と連通するフット開口部（１２８）である請求項１ないし８のいずれか１つに記載の車両用空調ユニット。
【発明の詳細な説明】
【技術分野】
【０００１】
本発明は、車両用空調ユニットに関するものである。
【背景技術】
【０００２】
従来、特許文献１に記載された車両用空調ユニットがある。この車両用空調ユニットは、ケーシングと、ケーシング内の上側に形成された上側空気通路に空気を送風する第１の遠心多翼ファンと、ケーシング内の下側に形成された下側空気通路に空気を送風する第２の遠心多翼ファンと、を備えている。
【０００３】
この車両用空調ユニットは、さらに、上側空気通路と下側空気通路を跨ぐように配置された冷却用熱交換器と、冷却用熱交換器の空気流れ下流側に配置された加熱用熱交換器と、を備え、加熱用熱交換器の上側と下側にそれぞれ加熱用熱交換器を迂回するバイパス通路が形成されている。
【先行技術文献】
【特許文献】
【０００４】
【特許文献１】特開２０１５−８０９５９号公報
【発明の概要】
【発明が解決しようとする課題】
【０００５】
しかしながら、上記特許文献１に記載された車両用空調ユニットは、上下のバイパス通路の通路面積がほぼ同じになっているので、上側バイパス通路を流れる空気の風量と下側バイパス通路を流れる空気の風量差を大きくするのが難しい。このため、例えば、上側バイパス通路から吹出口を通って車室内の乗員の顔に向けて十分な流量の空気を送風することができないといった問題がある。
【０００６】
また、上記特許文献１に記載された車両用空調ユニットのように、第１、第２の遠心多翼ファンから冷却用熱交換器へ空気を送風する空調ユニットでは、第１、第２の遠心多翼ファンの回転軸が冷却用熱交換器の空気流入面に対して略平行となるように配置される。また、このような車両用空調ユニットでは、送風風量を多くするため径方向の寸法の大きなファンが用いられる。
【０００７】
このため、空調ユニットにおける冷却用熱交換器の空気流入面と直交する方向の長さが長くなり空調ケースが大型になってしまうといった問題もある。
【０００８】
本発明は上記問題に鑑みたもので、空調ケースを小型化し、かつ、上側バイパス通路を通って空調ケースから吹き出される空気の風量を多くすることを目的とする。
【課題を解決するための手段】
【０００９】
上記目的を達成するため、請求項１〜３に記載の発明は、車両用空調ユニットであって、空調ケース（１２）と、空調ケース内に配置され、回転軸（ＣＬ１）の一端側に設けられた開口部（２０１）から吸い込んだ空気を回転軸の径外方向へ送風する送風機（２０）と、送風機より空気流れ上流側に配置され、空調ケース内を流れる空気を冷却する冷却器（１６）と、送風機より空気流れ下流側に配置され、冷却器で冷却された空気を加熱する加熱器（１８）と、を備え、空調ケースは、送風機から送風された空気を、加熱器の上側に迂回させる上側バイパス通路（１２５ａ）と、加熱器の下側に迂回させる下側バイパス通路（１２５ｂ）と、上側バイパス通路より空気流れ下流側に形成された第１開口部（１２６）と、下側バイパス通路より空気流れ下流側に形成された第２開口部（１２８）と、を有し、送風機は、開口部が冷却器の空気流出面（１６ｂ）と対向するように配置され、加熱器は、上側バイパス通路の通路面積が下側バイパス通路の通路面積よりも大きくなるよう空調ケース内に配置されている。
【００１０】
このような構成によれば、回転軸（ＣＬ１）の一端側に設けられた開口部（２０１）から吸い込んだ空気を回転軸の径外方向へ送風する送風機（２０）を備え、送風機は、開口部が冷却器の空気流出面（１６ｂ）と対向するように配置されているので、空調ユニットにおける冷却器の空気流出面と直交する方向の長さを短くすることができ、空調ケースを小型化することができる。また、上側バイパス通路の通路面積が下側バイパス通路の通路面積よりも大きくなるよう空調ケース内に配置されているので、上側バイパス通路を通って空調ケースから吹き出される空気の風量を多くすることができる。
【００１１】
なお、この欄および特許請求の範囲で記載した各手段の括弧内の符号は、後述する実施形態に記載の具体的手段との対応関係を示すものである。
【図面の簡単な説明】
【００１２】
【図１】本発明の第１実施形態に係る車両用空調ユニットの車両への搭載例を示す模式図である。
【図２】本発明の第１実施形態に係る車両用空調ユニットの主要な構成を示す断面図である。
【図３】第１実施形態に係る車両用空調ユニットの空気流れについて説明するための図である。
【図４】第２実施形態に係る車両用空調ユニットの主要な構成を示す断面図である。
【図５】第３実施形態に係る車両用空調ユニットの主要な構成を示す断面図である。
【図６】第４実施形態に係る車両用空調ユニットの主要な構成を示す断面図である。
【発明を実施するための形態】
【００１３】
以下、本発明の実施形態について図に基づいて説明する。なお、以下の各実施形態相互において、互いに同一もしくは均等である部分には、図中、同一符号を付してある。
【００１４】
（第１実施形態）
本発明の第１実施形態に係る車両用空調ユニットについて、図１〜図３を参照して説明する。なお、図面中に示す上下、左右、前後を示す各矢印は、車両用空調ユニットを車両に搭載した際の上下方向、左右方向、前後方向を示している。
【００１５】
図１に示すように、車両用空調ユニットは、車室内に吹き出す空気を所望の温度に調整する空調ケース１２を備えている。空調ケース１２は、車室内の最前部に設けられたインストルメントパネル９の内側に配置されている。
【００１６】
空調ケース１２は、図示しないダクトを介して、デフロスタ吹出口９１、フェイス吹出口９２ａ〜９２ｄ、およびフット吹出口９３ａ、９３ｂに接続されている。空調ケース１２は、デフロスタ吹出口９１、フェイス吹出口９２ａ〜９２ｄ、およびフット吹出口９３ａ、９３ｂを介して、車室内へ所望の温度に調整された空気を吹き出すことが可能となっている。
【００１７】
デフロスタ吹出口９１は、図示しない車両前面の窓ガラスに向けて、空調ケース１２にて温度調整された空気を吹き出す吹出口である。デフロスタ吹出口９１は、インストルメントパネル９における最前部に設けられている。
【００１８】
フェイス吹出口９２ａ〜９２ｄは、車室内の前席ＳＥｒ、ＳＥｌに着座した乗員の顔側に向けて、空調ケース１２にて温度調整された空気を吹き出す吹出口である。フェイス吹出口９２ａ〜９２ｄは、インストルメントパネル９におけるデフロスタ吹出口９１よりも後方側に設けられている。
【００１９】
フット吹出口９３ａ、９３ｂは、車室内の前席ＳＥｒ、ＳＥｌに着座した乗員の下半身側に向けて、空調ケース１２にて温度調整された空気を吹き出す吹出口である。フット吹出口９３ａ、９３ｂは、インストルメントパネル９の内側に開口している。
【００２０】
本実施形態のフット吹出口９３ａ、９３ｂは、車室内の右側空間ＳＰｒに主に空気を吹き出す右側フット吹出口９３ａ、および車室内の左側空間ＳＰｌに主に空気を吹き出す左側フット吹出口９３ｂを有する。
【００２１】
図２は、本実施形態の車両用空調ユニットの主要な構成を示す断面図である。空調ケース１２は、車両用空調ユニットの外殻を成す樹脂製の部材である。図１では、空調ケース１２全体のうちの主要部分が図示されている。
【００２２】
空調ケース１２は、車室外の空気である外気を導入するための外気導入口１２１と車室内の空気である内気を導入する内気導入口１２２を仕切る仕切壁１２３を有している。空調ケース１２内へは、送風機２０によって、車室外の空気である外気または車室内の空気である内気が導入される。空調ケース１２内に導入された外気または内気は蒸発器１６に流入する。
【００２３】
蒸発器１６は、空調ケース１２内を流れる空気を冷却する冷却用熱交換器すなわち冷却器である。蒸発器１６は空調ケース１２内に収容されており、空調ケース１２内に導入された外気または内気が流入するように配置されている。蒸発器１６は、不図示のコンプレッサ、コンデンサ、および膨張弁とともに、冷媒を循環させる周知の冷凍サイクル装置を構成している。蒸発器１６は、蒸発器１６を通過する空気を冷媒の蒸発により冷却する。      
【００２４】
送風機２０は、内気導入口１２２または外気導入口１２１に導入された空気を回転軸ＣＬ１の一端側に設けられた開口部２０１から吸い込んで、回転軸ＣＬ１の径外方向に送風する遠心送風機である。送風機２０は、蒸発器１６に対して空気流れ下流側に配置された所謂吸込式レイアウトとなっている。送風機２０は、図３中の矢印ＦＬ１に示すように開口部２０１から吸い込んで、矢印ＦＬ２、ＦＬ３に示すように回転軸ＣＬ１の径外方向に送風する。
【００２５】
送風機２０は、その開口部２０１が蒸発器１６の空気流出面１６ｂと対向するように配置されている。送風機２０は、その回転軸ＣＬ１が蒸発器１６の空気流出面１６ｂに対して略直交するように配置されている。
【００２６】
ヒータコア１８は、空調ケース１２内の空気流れにおいて蒸発器１６に対し下流側に配置されている。ヒータコア１８は、空調ケース１２内において上下方向の中央部に配置されている。蒸発器１６の空気流出面１６ｂ側からヒータコア１８に向けて投影したとき、ヒータコア１８は送風機２０に上下方向で隠れる大きさとなっている。ヒータコア１８は、蒸発器１６から流出した空気を、温水であるエンジン冷却水により加熱する加熱用すなわち加熱器である。ヒータコア１８の上側には、上側バイパス通路１２５ａが形成され、ヒータコア１８の下側には、下側バイパス通路１２５ｂが形成されている。すなわち、空調ケース１２は、蒸発器１６から流出した空気を、ヒータコア１８の上側に迂回させる上側バイパス通路１２５ａと、ヒータコア１８の下側に迂回させる下側バイパス通路１２５ｂと、を有している。
【００２７】
ヒータコア１８と蒸発器１６の間には、第１エアミックスドア２４ａおよび第２エアミックスドア２４ｂが設けられている。
【００２８】
第１エアミックスドア２４ａは、上側バイパス通路１２５ａに配設されている。第１エアミックスドア２４ａはスライド式のドア機構であり、不図示の電動アクチュエータによってスライドさせられる。
【００２９】
そして、第１エアミックスドア２４はそのスライド位置に応じて、ヒータコア１８を通過する風量と、空調ケース１２内においてヒータコア１８の上側に迂回する上側バイパス通路１２５ａを通過する風量との風量割合を調節する。
【００３０】
第２エアミックスドア２４ｂは、下側バイパス通路１２５ｂに配設されている。第２エアミックスドア２４ｂはスライド式のドア機構であり、不図示の電動アクチュエータによってスライドさせられる。
【００３１】
そして、第２エアミックスドア２４ｂはそのスライド位置に応じて、ヒータコア１８を通過する風量と、空調ケース１２内においてヒータコア１８の下側に迂回する下側バイパス通路１２５ｂを通過する風量との風量割合を調節する。
【００３２】
ヒータコア１８の空気流れ下流側では、ヒータコア１８を通った暖風と上側バイパス通路１２５ａを通った冷風とが混合される。そして、フェイス切替ドア２１がフェイス開口部１２６を開口している場合、その混合された空気は、主としてフェイス開口部１２６からフェイス吹出口９２ａ〜９２ｄを介して車室内へ導入される。なお、デフロスタ切替ドア２２がデフロスタ開口部１２７を開口している場合、主としてデフロスタ開口部１２７からデフロスタ吹出口９１を介して車室内へ導入される。従って、ヒータコア１８の空気流れ下流側を流れる空気は第１エアミックスドア２４ａのスライド位置に応じて調温されて車室内へ吹き出される。
【００３３】
第２エアミックスドア２４ｂは、下側バイパス通路１２５ｂに配設されている。第２エアミックスドア２４ｂは第１エアミックスドア２４ａと同様のスライド式のドア機構であり、不図示の電動アクチュエータによってスライドさせられる。
【００３４】
そして、第２エアミックスドア２４ｂはそのスライド位置に応じて、ヒータコア１８を通過する風量と、空調ケース１２内においてヒータコア１８の下側を迂回する下側バイパス通路１２５ｂを通過する風量との風量割合を調節する。
【００３５】
ヒータコア１８の空気流れ下流側では、ヒータコア１８を通った暖風と下側バイパス通路１２５ｂを通った冷風とが混合される。そして、フット切替ドア２３がフット開口部１２８を開口している場合、その混合された空気は、主としてフット開口部１２８からフット吹出口９３ａを介して車室内へ導入される。従って、ヒータコア１８の空気流れ下流側を流れる空気は第２エアミックスドア２４ｂのスライド位置に応じて調温されて車室内へ吹き出される。
【００３６】
次に、本車両用空調ユニットの作動について説明する。送風機２０が作動を開始すると、外気導入口１２１または内気導入口１２２を介して空調ケース１２内に空気が導入される。そして、空調ケース１２内に導入された空気は、蒸発器１６を通過し、蒸発器１６と熱交換して冷却される。
【００３７】
この蒸発器１６で冷却された空気は、送風機２０の開口部２０１に吸い込まれ、送風機２０の回転軸ＣＬ１の径外方向に送風される。
【００３８】
そして、送風機２０から送風された空気は、ヒータコア１８、上側バイパス通路１２５ａおよび下側バイパス通路１２５ｂを通った空気がヒータコア１８の空気流れ下流側で混合される。
【００３９】
そして、第１エアミックスドア２４のスライド位置に応じて、ヒータコア１８を通過する風量と、空調ケース１２内においてヒータコア１８の上側に迂回する上側バイパス通路１２５ａを通過する風量との風量割合が調節される。
【００４０】
そして、この風量割合が調節された空気が主としてフェイス開口部１２６からフェイス吹出口９２ａ〜９２ｄを介して車室内に吹き出されるとともにデフロスタ開口部１２７からデフロスタ吹出口９１を介して車室内に導入される。
【００４１】
また、第２エアミックスドア２４ｂのスライド位置に応じて、ヒータコア１８を通過する風量と、空調ケース１２内においてヒータコア１８の下側に迂回する下側バイパス通路１２５ｂを通過する風量との風量割合が調節される。そして、この風量割合が調節された空気が主としてフット開口部１２８からフット吹出口９３ａ、９３ｂを介して車室内に導入される。
【００４２】
また、ヒータコア１８は、上側バイパス通路１２５ａの通路面積が下側バイパス通路１２５ｂの通路面積よりも大きくなるよう空調ケース１２内に配置されている。このため、上側バイパス通路１２５ａの通路面積と下側バイパス通路１２５ｂの通路面積が等しい場合と比較して、上側バイパス通路１２５ａを通って空調ケースから吹き出される空気の風量が多くなる。したがって、車室内の乗員の顔に向けて十分な流量の空気を送風することができる。
【００４３】
また、下側バイパス通路１２５ｂを通過する空気の一部は、フェイス開口部１２６からフェイス吹出口９２ａ〜９２ｄを介して車室内に吹き出されるとともにデフロスタ開口部１２７からデフロスタ吹出口９１を介して車室内に吹き出される。
【００４４】
上記したように、本車両用空調ユニットは、空調ケース１２と、空調ケース１２内に配置され、回転軸ＣＬ１の一端側に設けられた開口部２０１から吸い込んだ空気を回転軸ＣＬ１の径外方向へ送風する送風機２０を備えている。
【００４５】
さらに、送風機２０より空気流れ上流側に配置され、空調ケース１２内を流れる空気を冷却する蒸発器１６と、送風機２０より空気流れ下流側に配置され、蒸発器１６で冷却された空気を加熱するヒータコア１８と、を備えている。
【００４６】
また、空調ケース１２は、送風機２０から送風された空気を、ヒータコア１８の上側に迂回させる上側バイパス通路１２５ａと、ヒータコア１８の下側に迂回させる下側バイパス通路１２５ｂと、を備えている。さらに、空調ケース１２は、上側バイパス通路１２５ａより空気流れ下流側に形成された第１開口部１２６と、下側バイパス通路１２５ｂより空気流れ下流側に形成された第２開口部１２８と、を有している。
【００４７】
そして、送風機２０は、開口部２０１が蒸発器１６の空気流出面１６ｂと対向するように配置され、ヒータコア１８は、上側バイパス通路１２５ａの通路面積が下側バイパス通路１２５ｂの通路面積よりも大きくなるよう空調ケース内に配置されている。
【００４８】
これによれば、回転軸ＣＬ１の一端側に設けられた開口部２０１から吸い込んだ空気を回転軸ＣＬ１の径外方向へ送風する送風機２０を備え、送風機２０は、開口部２０１が蒸発器１６の空気流出面１６ｂと対向するように配置されている。したがって、空調ユニットにおける冷却器の空気流出面と直交する方向の長さを短くすることができ、空調ケースを小型化することができる。そして、車両用空調ユニットを車両左右方向の中央部に配置した、所謂センタ置き型のレイアウトを実現することができる。
【００４９】
また、上側バイパス通路１２５ａの通路面積が下側バイパス通路１２５ｂの通路面積よりも大きくなるよう空調ケース１２内に配置されているので、上側バイパス通路１２５ａを通って空調ケース１２から吹き出される空気の風量を多くすることができる。
【００５０】
なお、送風機２０の空気流れ下流側に蒸発器１６を配置した構成では、蒸発器１６が通風抵抗となってしまう。しかし、本実施形態では、蒸発器１６の空気流れ下流側に送風機２０が配置されているので、送風機２０から送風された空気を、そのまま上側バイパス通路１２５ａを通ってフェイス開口部１２６に導入させることができる。したがって、さらに、上側バイパス通路１２５ａを通って空調ケース１２から吹き出される空気の風量を多くすることができる。
【００５１】
また、ヒータコア１８は、空気が流入する空気流入面１８ａの中心が蒸発器１６の空気流出面１６ｂの中心よりも下側に配置されている。このように、ヒータコア１８の空気流入面１８ａの中心を蒸発器１６の空気流出面１６ｂの中心よりも下側に配置することで、上側バイパス通路１２５ａの通路面積が下側バイパス通路１２５ｂの通路面積よりも大きくなるようにすることができる。
【００５２】
また、ヒータコア１８は、該ヒータコア１８の空気流入面１８ｂの中心が送風機２０の回転軸ＣＬ１よりも下側に配置されている。このように、ヒータコア１８の空気流入面１８ｂの中心を送風機２０の回転軸ＣＬ１よりも下側に配置することで、上側バイパス通路１２５ａの通路面積が下側バイパス通路１２５ｂの通路面積よりも大きくなるようにすることもできる。
【００５３】
また、車室内の乗員の顔へ向けて空気を送風するフェイス吹出口９２ａ〜９２ｄと連通するフェイス開口部１２６を第１開口部とすることができる。また、車室内の乗員の足元へ向けて空気を送風するフット吹出口９３ａ〜９３ｂと連通するフット開口部１２８を第２吹出口とすることができる。
【００５４】
ところで、本実施形態の送風機２０は、回転軸ＣＬ１の一端側に設けられた開口部２０１から吸い込んだ空気を回転軸ＣＬ１の径外方向へ向けて吹き出す。また、本実施形態のように送風機２０の開口部２０１が冷却器の空気流出面１６ｂと対向するように配置されている場合、図３に示したように、送風機２０から吹き出された空気が、空調ケース１２の内壁にぶつかる。そして、送風機２０の回転軸ＣＬ１の軸方向側にその向きを変え、その後、第１、第１開口部１２６、１２８から車室内へ吹き出される。
【００５５】
したがって、図３中のＡ−Ａ断面における空調ケース１２内を流れる空気の流量割合は、送風機２０の空気流れ下流側の上側、すなわち上側バイパス通路１２５ａの位置と、送風機２０の空気流れ下流側の下側、すなわち、下側バイパス通路１２５ｂの位置が多なる。また、送風機２０の空気流れ下流側の中央部は少なくなる。
【００５６】
本実施形態のヒータコア１８は、空調ケース１２内を流れる空気の流量割合の比較的少ない空調ケース１２の上下方向の中央部に配置されているので、流路の圧力損失を少なくすることができる。したがって、例えば、最も大風量を必要とする最大冷房時において大風量の空気を車室内へ吹き出すことが可能である。
【００５７】
また、本実施形態では、蒸発器１６の空気流出面１６ｂ側からヒータコア１８に向けて投影したとき、ヒータコア１８は送風機２０に上下方向で隠れる大きさとなっている。したがって、ヒータコア１８が送風機２０に隠れない大きさとなっている場合と比較して、流路の圧力損失を少なくすることができる。
【００５８】
（第２実施形態）
本発明の第２実施形態に係る車両用空調ユニットについて図４を参照して説明する。上記第１実施形態の車両用空調ユニットは、ヒータコア１８の空気流入面１８ａの中心が、蒸発器１６の空気流出面１６ｂの中心および送風機２０の回転軸ＣＬ１よりも下側となるようヒータコア１８が配置されている。これに対し、本実施形態の車両用空調ユニットは、ヒータコア１８の空気流入面１８ａの中心および送風機２０の回転軸ＣＬ１が蒸発器１６の空気流出面１６ｂの中心よりも下側となるようヒータコア１８が配置されている。
【００５９】
したがって、上側バイパス通路１２５ａの通路面積が下側バイパス通路１２５ｂの通路面積よりも大きくなるようにすることができる。
【００６０】
また、このような構成によれば、送風機２０の回転軸ＣＬ１が蒸発器１６の空気流出面１６ｂの中心と一致する場合と比較して、より上側バイパス通路１２５ａを流れる空気の風量を多くすることができる。
【００６１】
本実施形態では、上記第１実施形態と共通の構成から奏される同様の効果を上記第１実施形態と同様に得ることができる。
【００６２】
（第３実施形態）
本発明の第３実施形態に係る車両用空調ユニットについて図５を参照して説明する。上記第１実施形態の車両用空調ユニットは、スライド式のドア機構で第１、第２エアミックスドア２４ａ、２４ｂを構成している。これに対し、本実施形態の車両用空調ユニットは、回転ドアで第１、第２エアミックスドア２４ａ、２４ｂを構成している。このように、回転ドアで第１、第２エアミックスドア２４ａ、２４ｂを構成することもできる。
【００６３】
本実施形態では、上記第１実施形態と共通の構成から奏される同様の効果を上記第１実施形態と同様に得ることができる。
【００６４】
（第４実施形態）
本発明の第４実施形態に係る車両用空調ユニットについて図６を参照して説明する。本実施形態の車両用空調ユニットは、上記第１実施形態の車両用空調ユニットと比較して、さらに、区画部材１３を備えた点が異なる。
【００６５】
区画部材１３は、送風機２０より空気流れ下流側で、かつ、ヒータコア１８より空気流れ上流側に配置されている。区画部材１３は、上側バイパス通路１２５ａと下側バイパス通路１２５ｂとの間を区画するとともに、送風機２０より空気流れ下流側から送風機２０を支持している。区画部材１３は、板状の部材により構成されている。
【００６６】
なお、本実施形態の区画部材１８の上側端部は、送風機２０の上端よりも上側に突出しており、区画部材１８の下側端部は、送風機２０の下端よりも下側に突出している。
【００６７】
ヒータコア１８は、区画部材１８の上側端部と下側端部との間の所定範囲Ａｒに収まるよう配置されている。
【００６８】
このように、本実施形態の車両用空調ユニットは、上側バイパス通路１２５ａと下側バイパス通路１２５ｂとの間を区画する区画部材１３を備えている。そして、ヒータコア１８は、区画部材１８の上側端部と下側端部との間の所定範囲Ａｒに収まるよう配置されている。
【００６９】
空調ケース１２内を流れる空気の流量割合の比較的少ない区画部材１８の上側端部と下側端部との間の所定範囲Ａｒに収まるようにヒータコア１８が配置されているので、空調ケース１２内の圧力損失を少なくすることができる。
【００７０】
（他の実施形態）
（１）上記各実施形態では、送風機２０の回転軸ＣＬが蒸発器１６の空気流出面１６ｂに対して略直交となるように送風機２０を配置したが、送風機２０の回転軸ＣＬが蒸発器１６の空気流出面１６ｂに対して交差するように斜めに送風機２０を配置してもよい。
【００７１】
（２）上記各実施形態では、回転軸ＣＬ１の軸方向一端側から吸い込んだ空気を回転軸ＣＬ１の径外方向へ送風する遠心式送風機を採用した。これに対し、例えば、回転軸ＣＬ１の軸方向一端側から吸い込んだ空気を回転軸ＣＬ１に対して斜め方向に送風する斜流送風機を採用することもできる。
【００７２】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００７３】
（まとめ）
上記各実施形態の一部または全部で示された第１〜３の観点によれば、空調ケース１２と、空調ケース１２内に配置され、回転軸ＣＬ１の一端側に設けられた開口部２０１から吸い込んだ空気を回転軸ＣＬ１の径外方向へ送風する送風機２０を備えている。
【００７４】
さらに、送風機２０より空気流れ上流側に配置され、空調ケース１２内を流れる空気を冷却する蒸発器１６と、送風機２０より空気流れ下流側に配置され、蒸発器１６で冷却された空気を加熱するヒータコア１８と、を備えている。
【００７５】
また、空調ケース１２は、送風機２０から送風された空気を、ヒータコア１８の上側に迂回させる上側バイパス通路１２５ａと、ヒータコア１８の下側に迂回させる下側バイパス通路１２５ｂと、を備えている。さらに、空調ケース１２は、上側バイパス通路１２５ａより空気流れ下流側に形成された第１開口部１２６と、下側バイパス通路１２５ｂより空気流れ下流側に形成された第２開口部１２８と、を有している。
【００７６】
そして、送風機２０は、開口部２０１が蒸発器１６の空気流出面１６ｂと対向するように配置され、ヒータコア１８は、上側バイパス通路１２５ａの通路面積が下側バイパス通路１２５ｂの通路面積よりも大きくなるよう空調ケース内に配置されている。
【００７７】
また、第２、第４の観点によれば、ヒータコア１８は、空気が流入する空気流入面１８ａの中心が蒸発器１６の空気流出面１６ｂの中心よりも下側に配置されている。このように、ヒータコア１８の空気流入面１８ａの中心を蒸発器１６の空気流出面１６ｂの中心よりも下側に配置することで、上側バイパス通路１２５ａの通路面積が下側バイパス通路１２５ｂの通路面積よりも大きくなるようにすることができる。
【００７８】
また、第３の観点によれば、ヒータコア１８は、該ヒータコア１８の空気流入面１８ｂの中心が送風機２０の回転軸ＣＬ１よりも下側に配置されている。このように、ヒータコア１８の空気流入面１８ｂの中心を送風機２０の回転軸ＣＬ１よりも下側に配置することで、上側バイパス通路１２５ａの通路面積が下側バイパス通路１２５ｂの通路面積よりも大きくなるようにすることもできる。
【００７９】
また、第５の観点によれば、送風機２０は、遠心式送風機または斜流送風機である。
【００８０】
また、第６の観点によれば、送風機より空気流れ下流側で、かつ、加熱器より空気流れ下流側に配置され、上側バイパス通路と下側バイパス通路との間を区画する区画部材を備えている。そして、加熱器は、区画部材の上側端部と下側端部との間の所定範囲に収まるよう配置されている。
【００８１】
このように、空調ケース内を流れる空気の流量割合の比較的少ない区画部材の上側端部と下側端部との間の所定範囲に収まるように加熱器が配置されているので、空調ケース内の圧力損失を少なくすることができる。
【００８２】
また、第７の観点によれば、冷却器の空気流出面側から前記加熱器に向けて投影したとき、前記加熱器は、前記送風機に上下方向で隠れる大きさとなっている。したがって、加熱器が送風機に隠れない大きさとなっている場合と比較して、流路の圧力損失を少なくすることができる。
【００８３】
また、第８の観点によれば、第１開口部は、車室内の乗員の顔へ向けて空気を送風するフェイス吹出口９２ａ〜９２ｄと連通するフェイス開口部１２６である。このように、第１開口部をフェイス開口部１２６とすることができる。
【００８４】
また、第９の観点によれば、第２開口部は、車室内の乗員の足元へ向けて空気を送風するフット吹出口９３ａ〜９３ｂと連通するフット開口部１２８である。このように、第２吹出口をフット開口部１２８とすることができる。
【符号の説明】
【００８５】
１０            車両用空調ユニット
１２            空調ケース
１３            区画部材
１６            蒸発器
１８            ヒータコア
２４ａ、２４ｂ  エアミックスドア
９１            デフロスタ吹出口
９２ａ〜９２ｄ  フェイス吹出口
９３ａ、９３ｂ  フット吹出口
１２５ａ        上側バイパス通路
１２５ｂ        下側バイパス通路
１２６          フェイス開口部
１２７          デフロスタ開口部
１２８          フット開口部
【図１】
2018079918.tif 000003
【図２】
2018079918.tif 000004
【図３】
2018079918.tif 000005
【図４】
2018079918.tif 000006
【図５】
2018079918.tif 000007
【図６】
2018079918.tif 000008